(57)【要約】【課題】基地局が補助電源で動作しているときのサービス提供時間を延ばすこと。【解決手段】基地局装置は、アンテナ群７、第２電源９、制御情報５及び制御部６を備えている。アンテナ群７は、指向性の異なる複数のアンテナ８を含む。第２電源９は、第１電源４に代わってアンテナ群７へ電力を供給する。制御情報５は、第１電源４からアンテナ群７への電力の供給が停止してから基準となる時刻に達するときに第２電源９からアンテナ群７への電力の供給を開始するように、アンテナ群７の動作状態を規定する。また、制御情報５は、基準となる時刻からの経過時間に基づいて、第２電源９から電力の供給を受けるアンテナ８が切り替わるように、アンテナ群７の動作状態を規定する。制御部６は、第２電源９によって動作するときのアンテナ群７への電力の供給を制御情報５に基づいて制御する。【選択図】図１
2014022900.tif 000002
【特許請求の範囲】
【請求項１】
指向性の異なる複数のアンテナを含むアンテナ群と、
第１電源に代わって前記アンテナ群へ電力を供給する第２電源と、
前記第１電源から前記アンテナ群への電力の供給が停止してから基準となる時刻に達するときに前記第２電源から前記アンテナ群への電力の供給を開始し、前記基準となる時刻からの経過時間に基づいて、前記第２電源から電力の供給を受ける前記アンテナが切り替わるように、前記アンテナ群の動作状態を規定する制御情報と、
前記第２電源によって動作するときの前記アンテナ群への電力の供給を前記制御情報に基づいて制御する制御部と、
を備えることを特徴とする基地局装置。
【請求項２】
前記制御情報には、前記アンテナ群に含まれる複数の前記アンテナを複数のグループに分け、各グループに順番に前記第２電源から電力を供給することが規定されていることを特徴とする請求項１に記載の基地局装置。
【請求項３】
前記制御情報には、前記アンテナ群に含まれる複数の前記アンテナのうち、隣接する基地局から放射される電波が到達する領域へ向けて電波を放射する前記アンテナに対して前記第２電源から供給する電力を、前記第１電源から供給する電力よりも小さくすることが規定されていることを特徴とする請求項１に記載の基地局装置。
【請求項４】
指向性の異なる複数のアンテナを含む第１アンテナ群、第１電源に代わって前記第１アンテナ群へ電力を供給する第２電源、前記第１電源から前記第１アンテナ群への電力の供給が停止してから基準となる時刻に達するときに前記第２電源から前記第１アンテナ群への電力の供給を開始し、前記基準となる時刻からの経過時間に基づいて、前記第１アンテナ群に含まれる前記アンテナのうち、前記第２電源から電力の供給を受ける前記アンテナが切り替わるように、前記第１アンテナ群の動作状態を規定する第１制御情報、及び前記第２電源によって動作するときの前記第１アンテナ群への電力の供給を前記第１制御情報に基づいて制御する制御部、を有する第１基地局装置と、
指向性の異なる複数のアンテナを含む第２アンテナ群、第１電源に代わって前記第２アンテナ群へ電力を供給する第３電源、前記第１電源から前記第２アンテナ群への電力の供給が停止してから基準となる時刻に達するときに前記第３電源から前記第２アンテナ群への電力の供給を開始し、前記基準となる時刻からの経過時間に基づいて、前記第２アンテナ群に含まれる前記アンテナのうち、前記第３電源から電力の供給を受ける前記アンテナが切り替わるように、前記第２アンテナ群の動作状態を規定する第２制御情報、及び前記第３電源によって動作するときの前記第２アンテナ群への電力の供給を前記第２制御情報に基づいて制御する制御部、を有する第２基地局装置と、
を備えることを特徴とする無線通信システム。
【請求項５】
指向性の異なる複数のアンテナを含むアンテナ群への第１電源からの電力の供給が停止すると、
予め設定されている制御情報に従って、第１電源からの電力の供給が停止してから基準となる時刻に達するときに、前記第１電源に代わって第２電源から前記アンテナ群への電力の供給を開始し、
前記基準となる時刻からの経過時間に基づいて、前記第２電源から電力の供給を受ける前記アンテナを切り替えることを特徴とする無線通信方法。
【発明の詳細な説明】
【技術分野】
【０００１】
この発明は、基地局装置、無線通信システム及び無線通信方法に関する。
【背景技術】
【０００２】
従来、無線通信システムにおいて、停電などによって商用電源による電力供給が停止すると、自局に備えたバッテリーなどの補助電源に切り替えて動作する基地局がある。このような基地局として、補助電源での動作時に、補助電源での動作開始からの時間の経過とともに段階的に一部の機能の動作を停止する基地局がある。また、基地局同士で同期し、互いに、複数のアンテナを周期的に切り替えながら無線信号を送信することによって、隣接する基地局間での干渉を防ぐ方法がある（例えば、特許文献１参照）。
【０００３】
また、他の基地局から送信された信号の受信強度を測定し、その測定結果に基づいて、複数のアンテナの送信電力を個別に制御する基地局がある（例えば、特許文献２参照）。また、センター局から送信出力の減少指令を受けると、送信出力を減少させてサービスエリアを縮小することによって、基地局間干渉を回避するようにした通信システムがある（例えば、特許文献３参照）。
【０００４】
また、バッテリーの残量及びトラフィックの状態に応じて送信電力を変更することによって、消費電力を低減するようにした基地局がある（例えば、特許文献４参照）。また、複数のアンテナから指向性ビームを、基地局の周りを回転するように送信することによって、干渉を防ぐようにした基地局がある（例えば、特許文献５参照）。また、自局の送信する電波が他の基地局の送信する電波に干渉する場合に、送信電力を下げて電波を送信する基地局がある（例えば、特許文献６参照）。
【先行技術文献】
【特許文献】
【０００５】
【特許文献１】特開２００８−１９３５２６号公報
【特許文献２】特開２０１０−１９３４１５号公報
【特許文献３】特開平９−２１９８８３号公報
【特許文献４】特開２００２−３３００９５号公報
【特許文献５】特開平１０−１７３５８５号公報
【特許文献６】特開２０１０−３４７５６号公報
【発明の概要】
【発明が解決しようとする課題】
【０００６】
しかしながら、従来の基地局では、バッテリーによる動作に移行すると、一部の機能の動作が停止してしまう。そのため、バッテリーによって動作しているときには、商用電源によって動作しているときのサービスを継続することができないという問題点がある。バッテリーによって動作している状態で、商用電源によって動作しているときのサービスを継続すると、消費電力が多いため、バッテリーの持ちが悪くなってしまう。そのため、サービスを提供することができる時間が短くなってしまうという問題点がある。
【０００７】
基地局が補助電源で動作しているときのサービス提供時間を延ばすことができる基地局装置、無線通信システム及び無線通信方法を提供することを目的とする。
【課題を解決するための手段】
【０００８】
基地局装置は、アンテナ群、第２電源、制御情報及び制御部を備えている。アンテナ群は、指向性の異なる複数のアンテナを含む。第２電源は、第１電源に代わってアンテナ群へ電力を供給する。制御情報は、第１電源からアンテナ群への電力の供給が停止してから基準となる時刻に達するときに第２電源からアンテナ群への電力の供給を開始するように、アンテナ群の動作状態を規定する。また、制御情報は、基準となる時刻からの経過時間に基づいて、第２電源から電力の供給を受けるアンテナが切り替わるように、アンテナ群の動作状態を規定する。制御部は、第２電源によって動作するときのアンテナ群への電力の供給を制御情報に基づいて制御する。
【発明の効果】
【０００９】
この基地局装置、無線通信システム及び無線通信方法によれば、基地局が補助電源で動作しているときのサービス提供時間を延ばすことができる。
【図面の簡単な説明】
【００１０】
【図１】図１は、実施の形態にかかる無線通信システム及び基地局装置の一例を示す図である。
【図２】図２は、実施の形態にかかる無線通信方法の一例を示すフローチャートである。
【図３】図３は、実施の形態にかかる無線通信システム及び基地局装置の別の例を示す図である。
【図４】図４は、実施の形態にかかる無線通信方法の別の例を示すフローチャートである。
【図５】図５は、実施の形態にかかる無線通信システムにおけるセルの配置及びアンテナの配置の一例を示す図である。
【図６】図６は、実施の形態にかかる制御テーブルの一例を示す図である。
【図７】図７は、実施の形態にかかる制御テーブルの一例を示す図である。
【図８】図８は、実施の形態にかかる制御テーブルの一例を示す図である。
【図９】図９は、実施の形態にかかるアンテナの稼働状態の一例を示す図である。
【図１０】図１０は、実施の形態にかかる制御テーブルの別の例を示す図である。
【図１１】図１１は、実施の形態にかかる制御テーブルの別の例を示す図である。
【図１２】図１２は、実施の形態にかかる制御テーブルの別の例を示す図である。
【図１３】図１３は、実施の形態にかかるアンテナの稼働状態の別の例を示す図である。
【図１４】図１４は、実施の形態にかかる制御テーブルの別の例を示す図である。
【図１５】図１５は、実施の形態にかかる制御テーブルの別の例を示す図である。
【図１６】図１６は、実施の形態にかかる制御テーブルの別の例を示す図である。
【図１７】図１７は、実施の形態にかかるアンテナの稼働状態の別の例を示す図である。
【図１８】図１８は、図１４〜図１７に示す例における各基地局装置の動作シーケンスの一例を示す図である。
【図１９】図１９は、実施の形態にかかる制御テーブルの別の例を示す図である。
【図２０】図２０は、実施の形態にかかる無線通信システムにおけるモード切り替えの検知方法の一例を示す図である。
【図２１】図２１は、図１４〜図１７及び図２０に示す例における各基地局装置の動作シーケンスの一例を示す図である。
【図２２】図２２は、図２１の続きを示す図である。
【発明を実施するための形態】
【００１１】
以下に添付図面を参照して、この基地局装置、無線通信システム及び無線通信方法の好適な実施の形態を詳細に説明する。以下の各実施例の説明においては、同様の構成要素には同一の符号を付して、重複する説明を省略する。
【００１２】
・無線通信システムの一例
図１は、実施の形態にかかる無線通信システム及び基地局装置の一例を示す図である。例えば第３世代移動通信（３ｒｄ  Ｇｅｎｅｒａｔｉｏｎ：３Ｇ）システム、ＬＴＥ（Ｌｏｎｇ  Ｔｅｒｍ  Ｅｖｏｌｕｔｉｏｎ）システムまたは第４世代移動通信（４ｔｈ  Ｇｅｎｅｒａｔｉｏｎ：４Ｇ）システムなどの携帯電話システムは無線通信システムの一例である。
【００１３】
図１に示すように、無線通信システム１は、第１基地局装置２、第２基地局装置３というように、複数の基地局装置を有する。各基地局装置２，３は、第１電源４から供給される電力によって稼働する。第１電源４の一例として、例えば商用電源が挙げられる。第１電源４は商用電源の例では、第１基地局装置２、第２基地局装置３の供給経路が別々であってもよい。各基地局装置２，３は、別々の基地局に設置されている。
【００１４】
第１基地局装置２のアンテナ群７から放射される電波が到達する領域の一部は、第２基地局装置３のアンテナ群７から放射される電波が到達する領域の一部と重なっている。アンテナ群７から放射される電波が到達する領域は、例えばセルまたはセクタと呼ばれることがある。なお、図１には基地局装置が２つ示されているが、基地局装置の数は３つ以上でもよい。
【００１５】
・基地局装置の一例
図１に示すように、第１基地局装置２は、制御情報５、制御部６、アンテナ群７及び第２電源９を有する。第１基地局装置２において、アンテナ群７は、指向性の異なる複数のアンテナ８を含む。各アンテナ８の指向性は、アンテナ群７から放射される電波が到達する領域の一部分ずつに対応している。
【００１６】
第１基地局装置２に第１電源４から電力が供給されているときには、アンテナ群７に第１電源４から電力が供給される。アンテナ群７は、張り出しアンテナとして、第１基地局装置２から離れた箇所に設置されていてもよい。なお、図１には各基地局装置にアンテナが２つずつ示されているが、アンテナの数は３つ以上でもよい。
【００１７】
第２電源９は、補助的な電源である。第２電源９は、第１電源４からの電力の供給が停止しているときに、第１基地局装置２に電力を供給する。第１基地局装置２に第２電源９から電力が供給されているときには、アンテナ群７に第２電源９から電力が供給される。第２電源９の一例として、例えばバッテリーが挙げられる。
【００１８】
制御情報５は、アンテナ群７の動作状態を規定する情報である。制御情報５には、第１電源４からアンテナ群７への電力の供給が停止してから基準となる時刻に達するときに第２電源９からアンテナ群７へ電力の供給を開始するように、規定されている。また、制御情報５には、基準となる時刻からの経過時間に基づいて、第２電源９から電力の供給を受けるアンテナ８が切り替わるように、規定されている。
【００１９】
制御部６は、制御情報５に基づいて、第２電源９によって動作するときのアンテナ群７への電力の供給を制御する。制御部６は、第１基地局装置２の全体の制御を司る。
【００２０】
図１に示すように、第２基地局装置３は、制御情報５、制御部６、アンテナ群７及び第３電源１０を有する。第２基地局装置３において、制御情報５、制御部６及びアンテナ群７については、第１基地局装置２において説明した通りである。従って、重複する説明を省略する。
【００２１】
第３電源１０は、補助的な電源である。第３電源１０は、第１電源４からの電力の供給が停止しているときに、第２基地局装置３に電力を供給する。第２基地局装置３に第３電源１０から電力が供給されているときには、アンテナ群７に第３電源１０から電力が供給される。第３電源１０の一例として、例えばバッテリーが挙げられる。
【００２２】
・無線通信方法の一例
図２は、実施の形態にかかる無線通信方法の一例を示すフローチャートである。図２に示す無線通信方法は、図１に示す無線通信システムにおける各基地局装置により実施されてもよい。本実施例では、図１に示す各基地局装置が、図２に示す無線通信方法を実施する場合について説明する。
【００２３】
図２に示すように、第１基地局装置２において無線通信方法が開始されると、制御部６は、アンテナ群７への第１電源４からの電力の供給が停止しているか否かを判断する（ステップＳ１）。第１電源４からの電力の供給が停止していない場合、すなわち第１電源４から電力が供給されている場合（ステップＳ１：Ｎｏ）、制御部６は、例えばアンテナ群７の全アンテナ８に第１電源４から電力を供給する。
【００２４】
第１電源４からの電力の供給が停止している場合（ステップＳ１：Ｙｅｓ）、制御部６は、現在の時刻が基準となる時刻に達しているか否かを判断する（ステップＳ２）。基準となる時刻に達していない場合（ステップＳ２：Ｎｏ）、制御部６は、現在の時刻が基準となる時刻に達するのを待つ。
【００２５】
基準となる時刻に達すると（ステップＳ２：Ｙｅｓ）、制御部６は、制御情報５に従って、第２電源９からアンテナ群７の各アンテナ８への電力の供給を開始する（ステップＳ３）。例えば、制御部６は、アンテナ群７の一部のアンテナ８への電力の供給を開始してもよい。
【００２６】
次いで、制御部６は、基準となる時刻から、制御情報５に規定されている所定の時間が経過するか否かを判断する（ステップＳ４）。所定の時間が経過していない場合（ステップＳ４：Ｎｏ）、制御部６は、所定の時間が経過するのを待つ。
【００２７】
所定の時間が経過すると（ステップＳ４：Ｙｅｓ）、制御部６は、制御情報５に従って、第２電源９から電力を供給する対象のアンテナ８を切り替える（ステップＳ５）。そして、制御部６は、第１電源４からの電力の供給が復旧するか否かを判断する（ステップＳ６）。復旧しない場合（ステップＳ６：Ｎｏ）、ステップＳ４へ戻り、第１電源４からの電力の供給が復旧するまでステップＳ４〜ステップＳ６を繰り返す。
【００２８】
第１電源４からの電力の供給が復旧すると（ステップＳ６：Ｙｅｓ）、制御部６は、アンテナ群７に対して、第２電源９からの電力の供給を停止し、第１電源４からの電力の供給を再開する。そして、一連の動作を終了する。
【００２９】
第２基地局装置３における無線通信方法は、第１基地局装置２における無線通信方法と同様である。従って、第２基地局装置３における無線通信方法については、重複する説明を省略する。ただし、第２基地局装置３における無線通信方法においては、第２電源９の代わりに第３電源１０からアンテナ群７に電力が供給される。
【００３０】
図１に示す無線通信システム１及び各基地局装置２，３並びに無線通信方法によれば、第２電源９から供給される電力によってアンテナ群７が動作するときに、制御情報５に従って第２電源９または第３電源１０から電力が供給されるアンテナ８が切り替わる。それによって、全てのアンテナ８に第２電源９または第３電源１０から電力が供給される場合よりも少ない電力で各基地局装置２，３を稼働させることができる。従って、各基地局装置２，３が第２電源９または第３電源１０で動作しているときのサービス提供時間を延ばすことができる。
【００３１】
また、図１に示す無線通信システム１及び各基地局装置２，３並びに無線通信方法によれば、各基地局装置２，３が上位装置により制御されるシステムでなくても、各基地局装置２，３において、基準となる時刻から同期する状態で、アンテナ８の切り替えが制御される。また、例えば災害時の停電などによって各基地局装置２，３及び上位装置が第１電源４からの電力の供給を受けられない状況でも、各基地局装置２，３においてアンテナ８の切り替えが制御される。従って、各基地局装置２，３が第２電源９または第３電源１０で動作しているときのサービス提供時間を延ばすことができる。
【００３２】
各基地局装置２，３が第２電源９または第３電源１０で動作しているときのサービスは、第１電源４で動作する場合と同じサービスであってもよいし、第１電源４で動作する場合のサービスの一部であってもよい。第１電源４で動作する場合と同じサービスを提供する場合でも、その一部のサービスを提供する場合でも、全てのアンテナ８に第２電源９または第３電源１０から電力が供給される場合よりも少ない電力で各基地局装置２，３を稼働させることができる。従って、各基地局装置２，３が第２電源９または第３電源１０で動作しているときのサービス提供時間を延ばすことができる。
【００３３】
・無線通信システムの別の例
図３は、実施の形態にかかる無線通信システム及び基地局装置の別の例を示す図である。無線通信システムの一例として、例えば第３世代移動通信システム、ＬＴＥシステムまたは第４世代移動通信システムなどの携帯電話システムが挙げられる。
【００３４】
図３に示すように、無線通信システム２１は、例えば複数の基地局２３を有する。各基地局２３は、基地局ネットワーク網２２に接続されている。なお、図３には基地局が３つ示されているが、基地局の数は２つでもよいし、４つ以上でもよい。
【００３５】
・基地局装置の別の例
図３に示すように、基地局装置２４は、ＣＰＵ（Ｃｅｎｔｒａｌ  Ｐｒｏｃｅｓｓｉｎｇ  Ｕｎｉｔ、中央処理装置）３１、メモリ３２、補助電源３３、有線通信インタフェース３４及び無線通信インタフェース３５を有する。例えば補助電源３３は、第２電源または第３電源の一例である。
【００３６】
また、基地局装置２４は、切替スイッチ３６を備えるアンテナ群７、及びスケジュール部３９を有する。例えば切替スイッチ３６、スケジュール部３９及びＣＰＵ３１は、制御部の一例である。スケジュール部３９は、制御テーブル４０を有する。例えば制御テーブル４０は制御情報の一例である。ＣＰＵ３１、メモリ３２、有線通信インタフェース３４、無線通信インタフェース３５及びスケジュール部３９は、バス４３に接続されている。切替スイッチ３６及びアンテナ群７は、無線通信インタフェース３５及びスケジュール部３９に接続されている。
【００３７】
アンテナ群７、及びアンテナ群７に含まれる複数のアンテナ８については、図１に示す第１基地局装置２の説明において説明した通りである。従って、重複する説明を省略する。アンテナ群７は、張り出しアンテナとして、基地局装置２４から離れた箇所に設置されていてもよい。なお、図３にはアンテナが６つ示されているが、アンテナの数は２つ以上５つ以下でもよいし、７つ以上でもよい。
【００３８】
ＣＰＵ３１は、基地局装置２４の全体の制御を司る。ＣＰＵ３１は、例えばメモリ３２から基地局装置２４を制御するプログラムを読み出し、メモリ３２を作業領域として実行する。基地局装置２４を制御するプログラムの一つに、アンテナを制御するプログラムがある。ＣＰＵ３１がアンテナを制御するプログラムを実行することによって、後述する無線通信方法が実現される。
【００３９】
メモリ３２は、ＣＰＵ３１により実行される種々のプログラムを格納している。メモリ３２は、ＣＰＵ３１が種々のプログラムを実行する際に、ＣＰＵ３１によって作業領域として用いられる。
【００４０】
補助電源３３は、主電源２５からの電力の供給が停止しているときに、基地局装置２４に電力を供給する。基地局装置２４に補助電源３３から電力が供給されているときには、アンテナ群７に補助電源３３から電力が供給される。補助電源３３の一例として、例えばバッテリーが挙げられる。主電源２５の一例として、例えば商用電源が挙げられる。
【００４１】
有線通信インタフェース３４は、有線による基地局ネットワーク網２２に接続するインタフェースである。無線通信インタフェース３５は、アンテナ群７を介して図示しない無線通信網に接続するインタフェースである。
【００４２】
スケジュール部３９は、ＣＰＵ３１がアンテナ８を制御するプログラムを実行することによって動作し、制御テーブル４０に従ってアンテナ８の切り替えを制御する。切替スイッチ３６は、スケジュール部３９の制御に従って、稼働するアンテナ８を切り替える。
【００４３】
制御テーブル４０は、自局制御情報４１及び隣接局制御情報４２を有する。自局制御情報４１は、自局のアンテナ群７のアンテナ８に対する切り替え制御の情報を含む。自局制御情報４１は、例えば基地局Ｎｏ．、時刻オフセット情報、制御詳細情報及びアンテナ番号リスト情報を含む。隣接局制御情報４２は、隣接する基地局のアンテナ群のアンテナに対する切り替え制御の情報を含む。隣接局制御情報４２は、例えば隣接基地局Ｎｏ．、時刻オフセット情報、制御詳細情報及びアンテナ番号リスト情報を含む。
【００４４】
基地局Ｎｏ．及び隣接基地局Ｎｏ．は、基地局を識別する識別子である。基地局Ｎｏ．は、自局の識別子を示す情報である。隣接基地局Ｎｏ．は、隣接する基地局の識別子を示す情報である。時刻オフセット情報は、基準となる時刻、及び基準となる時刻からのオフセット時間を示す情報である。基準となる時刻の情報は、補助電源３３による動作を開始するタイミングを示す。オフセット時間の情報は、稼働するアンテナ８を切り替えるタイミングを示す。制御詳細情報は、制御対象のアンテナ８に対する制御内容を示す情報である。アンテナ番号リスト情報は、制御対象のアンテナ８を示す情報である。制御テーブル４０の具体的な一例については、後述する。
【００４５】
・無線通信方法の別の例
図４は、実施の形態にかかる無線通信方法の別の例を示すフローチャートである。図４に示す無線通信方法は、例えば図３に示す各基地局２３の基地局装置２４により実施されるとする。
【００４６】
図４に示すように、基地局装置２４において無線通信方法が開始されると、主電源２５から基地局装置２４に電力が供給される。従って、アンテナ群７は通常モードで稼働する（ステップＳ１１）。通常モードでは、アンテナ群７の全てのアンテナ８が同時に稼働してもよい。
【００４７】
基地局装置２４が主電源２５からの電力の供給停止を、例えば上位装置からの通知によって検知しない間（ステップＳ１２：Ｎｏ）、アンテナ群７は通常モードで稼働する（ステップＳ１１）。基地局装置２４は、例えば上位装置からの通知によって主電源２５からの電力の供給停止を検知すると（ステップＳ１２：Ｙｅｓ）、主電源２５に代わって補助電源３３からアンテナ群７へ電力を供給するモードへ移行する（ステップＳ１３）。それによって、ＣＰＵ３１は、アンテナを制御するプログラムを読み出して実行する。
【００４８】
ＣＰＵ３１によって、アンテナ８を制御するプログラムが実行されると、スケジュール部３９は、制御テーブル４０の自局制御情報４１の最初のレコードから時刻オフセット情報を読み出す（ステップＳ１４）。そして、スケジュール部３９は、基地局装置２４に内蔵されている時計による現在の時刻が時刻オフセット情報の基準となる時刻に到達するか否かを判断する（ステップＳ１５）。なお、基地局装置２４に内蔵されている時計の時刻は、例えば基地局ネットワーク網２２により他の基地局装置２４との間で共有されている。
【００４９】
基準となる時刻に到達していない場合、スケジュール部３９は、現在の時刻が基準となる時刻に到達するまで待機する（ステップＳ１５：Ｎｏ）。現在の時刻が基準となる時刻に到達すると（ステップＳ１５：Ｙｅｓ）、スケジュール部３９は、制御テーブル４０の自局制御情報４１の最初のレコードから制御詳細情報及びアンテナ番号リスト情報を読み出す（ステップＳ１６）。スケジュール部３９は、アンテナ番号リスト情報に基づいて制御対象のアンテナ８を特定する。切替スイッチ３６は、稼働させるアンテナ８を、スケジュール部３９により特定される制御対象のアンテナ８に切り替える。そして、スケジュール部３９は、制御対象のアンテナ８に対して、制御詳細情報に規定されている内容の制御を実施する（ステップＳ１７）。
【００５０】
次いで、スケジュール部３９は、制御テーブル４０の自局制御情報４１の参照位置を次のレコードに更新する（ステップＳ１８）。そして、基地局装置２４は、例えば上位装置からの通知に基づいて、主電源２５からの電力供給の復旧を検知するか否かを判断する（ステップＳ１９）。
【００５１】
主電源２５の復旧を検知しない場合（ステップＳ１９：Ｎｏ）、スケジュール部３９は、制御テーブル４０の自局制御情報４１の更新後のレコードから時刻オフセット情報を読み出す（ステップＳ１４）。そして、スケジュール部３９は、現在の時刻が更新後のレコードの時刻オフセット情報のオフセット時間に対応する時刻に到達するか否かを判断する（ステップＳ１５）。オフセット時間に対応する時刻に到達していない場合、スケジュール部３９は、現在の時刻がオフセット時間に対応する時刻に到達するまで待機する（ステップＳ１５：Ｎｏ）。
【００５２】
現在の時刻がオフセット時間に対応する時刻に到達すると（ステップＳ１５：Ｙｅｓ）、スケジュール部３９は、制御テーブル４０の自局制御情報４１の更新後のレコードから、制御詳細情報及びアンテナ番号リスト情報を読み出す（ステップＳ１６）。スケジュール部３９は、アンテナ番号リスト情報に基づいて制御対象のアンテナ８を特定する。切替スイッチ３６は、稼働させるアンテナ８を、スケジュール部３９により特定される制御対象のアンテナ８に切り替える。そして、スケジュール部３９は、制御対象のアンテナ８に対して、制御詳細情報に規定されている内容の制御を実施する（ステップＳ１７）。
【００５３】
次いで、スケジュール部３９は、制御テーブル４０の自局制御情報４１の参照位置を次のレコードに更新する（ステップＳ１８）。基地局装置２４が主電源２５の復旧を検知しない間（ステップＳ１９：Ｎｏ）、基地局装置２４は、制御テーブル４０の自局制御情報４１の更新後のレコードに対して２巡目のステップＳ１４〜ステップＳ１９の動作を繰り返す。
【００５４】
基地局装置２４は、主電源２５の復旧を検知すると（ステップＳ１９：Ｙｅｓ）、補助電源３３に代わって主電源２５からアンテナ群７へ電力を供給する通常モードへ移行する（ステップＳ２０）。そして、基地局装置２４は、一連の動作を終了する。
【００５５】
以下に、制御テーブル４０を例示し、アンテナ群７のアンテナ８の切り替わり及びアンテナ切り替えの制御内容について、図５に示す例を用いて説明する。一例として、基地局装置ａ、基地局装置ｂ及び基地局装置ｃがあり、基地局装置ｂを有する基地局に対して、基地局装置ａを有する基地局と、基地局装置ｃを有する基地局とが、隣接する基地局であるとする。
【００５６】
・セルの配置及びアンテナの配置の一例
図５は、実施の形態にかかる無線通信システムにおけるセルの配置及びアンテナの配置の一例を示す図である。図５に示すように、基地局装置ａのセル５１、基地局装置ｂのセル５２及び基地局装置ｃのセル５３は、例えば６つのセクタに分かれているとする。基地局装置ａ、基地局装置ｂ及び基地局装置ｃは、各セクタに対応する６つのアンテナを有しているとする。
【００５７】
なお、各基地局装置のアンテナの数及びセクタの数は５つ以下でもよいし、７つ以上でもよい。また、便宜上、アンテナ配置例５４に示すように、各基地局装置において、６つのアンテナの番号を図面の上方から時計回りに１，２，３，４，５及び６とする。
【００５８】
図５に示す例では、基地局装置ａのセル５１のアンテナ番号２に対応するセクタ５５の一部の領域と、基地局装置ｂのセル５２のアンテナ番号６に対応するセクタ５８の一部の領域とが重なっている。基地局装置ａのセル５１のアンテナ番号３に対応するセクタ５６の一部の領域と、基地局装置ｂのセル５２のアンテナ番号５に対応するセクタ５７の一部の領域とが重なっている。
【００５９】
基地局装置ｂのセル５２のアンテナ番号２に対応するセクタ５９の一部の領域と、基地局装置ｃのセル５３のアンテナ番号６に対応するセクタ６２の一部の領域とが重なっている。基地局装置ｂのセル５２のアンテナ番号３に対応するセクタ６０の一部の領域と、基地局装置ｃのセル５３のアンテナ番号５に対応するセクタ６１の一部の領域とが重なっている。
【００６０】
・制御テーブルの一例
図６〜図８は、実施の形態にかかる制御テーブルの一例を示す図である。図６〜図８に示す例では、基地局装置ａは、自局制御情報として例えば図６に示す制御テーブル４０を有し、隣接局制御情報として例えば図７に示す制御テーブル４０を有する。基地局装置ｂは、自局制御情報として例えば図７に示す制御テーブル４０を有し、隣接局制御情報として例えば図６に示す制御テーブル４０及び図８に示す制御テーブル４０を有する。基地局装置ｃは、自局制御情報として例えば図８に示す制御テーブル４０を有し、隣接局制御情報として例えば図７に示す制御テーブル４０を有する。
【００６１】
図６〜図８に示すように、各制御テーブル４０では、基準となる時刻は例えば正時となっている。本実施例では、例えば補助電源３３からアンテナ群７へ電力を供給するモードへ移行してから一定時間が経過し、その後初めて到達する○時０分または○時３０分を正時とする。○時は、０時〜２３時である。従って、例えば一定時間を５分とし、補助電源３３からアンテナ群７へ電力を供給するモードへ１時１８分に移行する場合、基準となる時刻は、１時１８分から５分経過後の１時２３分の後に初めて正時となる１時３０分となる。なお、正時は、例えば○時０分のみであってもよいし、例えば○時０分、○時１５分、○時３０分及び○時４５分であってもよい。つまり、基地局の配置設計を行う者が任意に正時を決めることができる。
【００６２】
図６〜図８に示すように、各制御テーブル４０では、オフセット時間は、例えば基準となる時刻から０分、基準となる時刻から１０分、基準となる時刻から２０分、基準となる時刻から３０分、基準となる時刻から４０分及び基準となる時刻から５０分となっている。オフセット時間は、例えば５分刻みであってもよいし、例えば１５分刻みであってもよい。つまり、基地局の配置設計を行う者が任意にオフセット時間を決めることができる。
【００６３】
図６〜図８に示すように、各制御テーブル４０では、オフセット時間が０分である場合、アンテナ番号が２，３，４，５及び６である各アンテナはオフに制御され、アンテナ番号が１であるアンテナのみオフの制御が解除される。オフセット時間が１０分である場合、アンテナ番号が２であるアンテナのみオフの制御が解除され、それ以外のアンテナはオフに制御される。オフセット時間が２０分である場合、アンテナ番号が３であるアンテナのみオフの制御が解除され、それ以外のアンテナはオフに制御される。
【００６４】
オフセット時間が３０分である場合、アンテナ番号が４であるアンテナのみオフの制御が解除され、それ以外のアンテナはオフに制御される。オフセット時間が４０分である場合、アンテナ番号が５であるアンテナのみオフの制御が解除され、それ以外のアンテナはオフに制御される。オフセット時間が５０分である場合、アンテナ番号が６であるアンテナのみオフの制御が解除され、それ以外のアンテナはオフに制御される。基地局装置ａ、基地局装置ｂ及び基地局装置ｃが、補助電源から電力の供給を受けるモードへ移行する場合の様子を図９に示す。
【００６５】
・アンテナの稼働状態の変遷の一例
図９は、実施の形態にかかるアンテナの稼働状態の一例を示す図である。図９において、各セル５１，５２，５３の各セクタ内の数字は、稼働しているアンテナの番号を表す。また、実線で示されるセクタは、対応するアンテナが稼働しており、サービスの提供が可能なセクタである。破線で示されるセクタは、対応するアンテナが稼働していないため、サービスの提供ができないセクタである。
【００６６】
図９に示すように、基地局装置ａのセル５１、基地局装置ｂのセル５２及び基地局装置ｃのセル５３において、各基地局装置は、基準となる時刻からのオフセット時間が０〜１０分では、アンテナ番号１のアンテナに対応するセクタでサービスを提供することができる。オフセット時間が１０〜２０分では、各基地局装置は、アンテナ番号２のアンテナに対応するセクタでサービスを提供することができる。オフセット時間が２０〜３０分では、各基地局装置は、アンテナ番号３のアンテナに対応するセクタでサービスを提供することができる。
【００６７】
オフセット時間が３０〜４０分では、各基地局装置は、アンテナ番号４のアンテナに対応するセクタでサービスを提供することができる。オフセット時間が４０〜５０分では、各基地局装置は、アンテナ番号５のアンテナに対応するセクタでサービスを提供することができる。オフセット時間が５０〜６０分では、各基地局装置は、アンテナ番号６のアンテナに対応するセクタでサービスを提供することができる。本実施例では、基準となる時刻から６０分が経過すると、オフセット時間が０〜１０分であるときの状態に戻る。なお、ある時間帯のみ全てのアンテナをオフに制御し、稼働するアンテナのない状態にしてもよい。
【００６８】
・制御テーブルの別の例
図１０〜図１２は、実施の形態にかかる制御テーブルの別の例を示す図である。図１０〜図１２に示す例では、基地局装置ａは、自局制御情報として例えば図１０に示す制御テーブル４０を有し、隣接局制御情報として例えば図１１に示す制御テーブル４０を有する。基地局装置ｂは、自局制御情報として例えば図１１に示す制御テーブル４０を有し、隣接局制御情報として例えば図１０に示す制御テーブル４０及び図１２に示す制御テーブル４０を有する。基地局装置ｃは、自局制御情報として例えば図１２に示す制御テーブル４０を有し、隣接局制御情報として例えば図１１に示す制御テーブル４０を有する。
【００６９】
図１０〜図１２に示すように、各制御テーブル４０では、基準となる時刻及びオフセット時間は、図６〜図８に示す制御テーブル４０において説明した通りである。従って、重複する説明を省略する。
【００７０】
図１０に示す制御テーブル４０では、オフセット時間が０分、２０分及び４０分である場合、アンテナ番号が２であるアンテナの電力が減らされ、アンテナ番号が３であるアンテナの電力が、減らされる前の電力に復旧される。オフセット時間が１０分、３０分及び５０分である場合、アンテナ番号が３であるアンテナの電力が減らされ、アンテナ番号が２であるアンテナの電力が、減らされる前の電力に復旧される。
【００７１】
図１１に示す制御テーブル４０では、オフセット時間が０分、２０分及び４０分である場合、アンテナ番号が２及び５である各アンテナの電力が減らされ、アンテナ番号が３及び６である各アンテナの電力が、減らされる前の電力に復旧される。オフセット時間が１０分、３０分及び５０分である場合、アンテナ番号が３及び６である各アンテナの電力が減らされ、アンテナ番号が２及び５である各アンテナの電力が、減らされる前の電力に復旧される。
【００７２】
図１２に示す制御テーブル４０では、オフセット時間が０分、２０分及び４０分である場合、アンテナ番号が５であるアンテナの電力が減らされ、アンテナ番号が６であるアンテナの電力が、減らされる前の電力に復旧される。オフセット時間が１０分、３０分及び５０分である場合、アンテナ番号が６であるアンテナの電力が減らされ、アンテナ番号が５であるアンテナの電力が、減らされる前の電力に復旧される。基地局装置ａ、基地局装置ｂ及び基地局装置ｃが、補助電源から電力の供給を受けるモードへ移行する場合の様子を図１３に示す。
【００７３】
・アンテナの稼働状態の変遷の別の例
図１３は、実施の形態にかかるアンテナの稼働状態の別の例を示す図である。図１３において、各セル５１，５２，５３の各セクタ内の数字は、稼働しているアンテナの番号を表す。また、実線で示されるセクタまたは領域は、対応するアンテナが稼働しており、サービスの提供が可能なセクタまたは領域である。破線で示される領域は、対応するアンテナが小電力で稼働しているため、電波の到達距離が短くなっており、電波が届かないので、サービスの提供ができない領域である。
【００７４】
図１３に示すように、基準となる時刻からのオフセット時間が０〜１０分、２０〜３０分及び４０〜５０分では、基地局装置ａのセル５１において、アンテナ番号２のアンテナに対応するセクタでサービスを提供できる領域が狭くなっている。基地局装置ａのセル５１において、アンテナ番号２のアンテナに対応するセクタのうち、基地局装置ａからの電波が届かない領域の一部は、基地局装置ｂのセル５２のアンテナ番号６のアンテナに対応するセクタに含まれている。従って、基地局装置ａのセル５１において、アンテナ番号２のアンテナに対応するセクタのうち、基地局装置ａからの電波が届かない領域の一部には、基地局装置ｂによってサービスが提供される。
【００７５】
また、基地局装置ｂのセル５２において、アンテナ番号５のアンテナに対応するセクタでサービスを提供できる領域が狭くなっている。基地局装置ｂのセル５２において、アンテナ番号５のアンテナに対応するセクタのうち、基地局装置ｂからの電波が届かない領域の一部は、基地局装置ａのセル５１のアンテナ番号３のアンテナに対応するセクタに含まれている。従って、基地局装置ｂのセル５２において、アンテナ番号５のアンテナに対応するセクタのうち、基地局装置ｂからの電波が届かない領域の一部には、基地局装置ａによってサービスが提供される。
【００７６】
また、基地局装置ｂのセル５２において、アンテナ番号２のアンテナに対応するセクタでサービスを提供できる領域が狭くなっている。基地局装置ｂのセル５２において、アンテナ番号２のアンテナに対応するセクタのうち、基地局装置ｂからの電波が届かない領域の一部は、基地局装置ｃのセル５３のアンテナ番号６のアンテナに対応するセクタに含まれている。従って、基地局装置ｂのセル５２において、アンテナ番号２のアンテナに対応するセクタのうち、基地局装置ｂからの電波が届かない領域の一部には、基地局装置ｃによってサービスが提供される。
【００７７】
また、基地局装置ｃのセル５３において、アンテナ番号５のアンテナに対応するセクタでサービスを提供できる領域が狭くなっている。基地局装置ｃのセル５３において、アンテナ番号５のアンテナに対応するセクタのうち、基地局装置ｃからの電波が届かない領域の一部は、基地局装置ｂのセル５２のアンテナ番号３のアンテナに対応するセクタに含まれている。従って、基地局装置ｃのセル５３において、アンテナ番号５のアンテナに対応するセクタのうち、基地局装置ｃからの電波が届かない領域の一部には、基地局装置ｂによってサービスが提供される。
【００７８】
一方、基準となる時刻からのオフセット時間が１０〜２０分、３０〜４０分及び５０〜６０分では、基地局装置ａのセル５１において、アンテナ番号３のアンテナに対応するセクタでサービスを提供できる領域が狭くなっている。基地局装置ａのセル５１において、アンテナ番号３のアンテナに対応するセクタのうち、基地局装置ａからの電波が届かない領域の一部は、基地局装置ｂのセル５２のアンテナ番号５のアンテナに対応するセクタに含まれている。従って、基地局装置ａのセル５１において、アンテナ番号３のアンテナに対応するセクタのうち、基地局装置ａからの電波が届かない領域の一部には、基地局装置ｂによってサービスが提供される。
【００７９】
また、基地局装置ｂのセル５２において、アンテナ番号６のアンテナに対応するセクタでサービスを提供できる領域が狭くなっている。基地局装置ｂのセル５２において、アンテナ番号６のアンテナに対応するセクタのうち、基地局装置ｂからの電波が届かない領域の一部は、基地局装置ａのセル５１のアンテナ番号２のアンテナに対応するセクタに含まれている。従って、基地局装置ｂのセル５２において、アンテナ番号６のアンテナに対応するセクタのうち、基地局装置ｂからの電波が届かない領域の一部には、基地局装置ａによってサービスが提供される。
【００８０】
また、基地局装置ｂのセル５２において、アンテナ番号３のアンテナに対応するセクタでサービスを提供できる領域が狭くなっている。基地局装置ｂのセル５２において、アンテナ番号３のアンテナに対応するセクタのうち、基地局装置ｂからの電波が届かない領域の一部は、基地局装置ｃのセル５３のアンテナ番号５のアンテナに対応するセクタに含まれている。従って、基地局装置ｂのセル５２において、アンテナ番号３のアンテナに対応するセクタのうち、基地局装置ｂからの電波が届かない領域の一部には、基地局装置ｃによってサービスが提供される。
【００８１】
また、基地局装置ｃのセル５３において、アンテナ番号６のアンテナに対応するセクタでサービスを提供できる領域が狭くなっている。基地局装置ｃのセル５３において、アンテナ番号６のアンテナに対応するセクタのうち、基地局装置ｃからの電波が届かない領域の一部は、基地局装置ｂのセル５２のアンテナ番号２のアンテナに対応するセクタに含まれている。従って、基地局装置ｃのセル５３において、アンテナ番号６のアンテナに対応するセクタのうち、基地局装置ｃからの電波が届かない領域の一部には、基地局装置ｂによってサービスが提供される。本実施例では、基準となる時刻から６０分が経過すると、オフセット時間が０〜１０分であるときの状態に戻る。
【００８２】
・制御テーブルの別の例
図１４〜図１６は、実施の形態にかかる制御テーブルの別の例を示す図である。図１４〜図１６に示す例では、基地局装置ａは、自局制御情報として例えば図１４に示す制御テーブル４０を有し、隣接局制御情報として例えば図１５に示す制御テーブル４０を有する。基地局装置ｂは、自局制御情報として例えば図１５に示す制御テーブル４０を有し、隣接局制御情報として例えば図１４に示す制御テーブル４０及び図１６に示す制御テーブル４０を有する。基地局装置ｃは、自局制御情報として例えば図１６に示す制御テーブル４０を有し、隣接局制御情報として例えば図１５に示す制御テーブル４０を有する。
【００８３】
図１４〜図１６に示すように、各制御テーブル４０には、隣接接続時の制御テーブル４４及び隣接異常時の制御テーブル４５が含まれている。隣接接続時の制御テーブル４４は、自局が補助電源によって稼働し、隣接する基地局が主電源によって稼働する場合の制御テーブルである。隣接異常時の制御テーブル４５は、自局が主電源によって稼働し、隣接する基地局が補助電源によって稼働する場合の制御テーブルである。
【００８４】
図１４〜図１６に示すように、各制御テーブル４０では、基準となる時刻及びオフセット時間は、図６〜図８に示す制御テーブル４０において説明した通りである。従って、重複する説明を省略する。ただし、オフセット時間は、０分、１０分、２０分及び３０分である。
【００８５】
図１４に示す隣接接続時の制御テーブル４４では、オフセット時間が０分である場合、基地局装置ａのアンテナ番号が２，３，４，５及び６である各アンテナはオフに制御される。そして、基地局装置ａのアンテナ番号が１であるアンテナのみ電力が復旧される。オフセット時間が１０分である場合、基地局装置ａにおいて、アンテナ番号が４であるアンテナのみ電力が復旧され、それ以外のアンテナはオフに制御される。
【００８６】
オフセット時間が２０分である場合、基地局装置ａにおいて、アンテナ番号が５であるアンテナのみ電力が復旧され、それ以外のアンテナはオフに制御される。オフセット時間が３０分である場合、基地局装置ａにおいて、アンテナ番号が６であるアンテナのみ電力が復旧され、それ以外のアンテナはオフに制御される。
【００８７】
基地局装置ａが補助電源によって稼働し、隣接する基地局の基地局装置ｂが主電源によって稼働する場合、基地局装置ａのアンテナ番号が２及び３である各アンテナに対応するセクタには、基地局装置ｂによってサービスが提供される。基地局装置ａが補助電源によって稼働し、隣接する基地局の基地局装置ｂが主電源によって稼働する場合、基地局装置ｂによってサービスが提供されないセクタに対応するアンテナは、例えばラウンドロビン方式によって順に稼働されてもよい。
【００８８】
図１４に示す隣接異常時の制御テーブル４５では、隣接する基地局の基地局装置ｂが補助電源によって稼働する異常時に、基地局装置ａが主電源によって稼働する場合には、基地局装置ａにおいてアンテナ番号が２及び３である各アンテナの電力が増大される。それによって、隣接する基地局の基地局装置ｂのアンテナ番号が５及び６である各アンテナに対応するセクタが、基地局装置ａのアンテナ番号が２及び３である各アンテナから放射される電波の到達範囲に含まれることになる。隣接異常時の制御テーブル４５では、隣接する基地局の基地局装置ｂが主電源によって稼働される状態に復旧すると、基地局装置ａのアンテナ番号が２及び３である各アンテナの電力が通常の電力に復帰する。
【００８９】
図１５に示す隣接接続時の制御テーブル４４では、オフセット時間が０分及び２０分である場合、基地局装置ｂのアンテナ番号が２，３，４，５及び６である各アンテナはオフに制御される。そして、基地局装置ｂのアンテナ番号が１であるアンテナのみ電力が復旧される。オフセット時間が１０分及び３０分である場合、基地局装置ｂにおいて、アンテナ番号が４であるアンテナのみ電力が復旧され、それ以外のアンテナはオフに制御される。
【００９０】
基地局装置ｂが補助電源によって稼働し、隣接する基地局の基地局装置ａが主電源によって稼働する場合、基地局装置ｂのアンテナ番号が５及び６である各アンテナに対応するセクタには、基地局装置ａによってサービスが提供される。基地局装置ｂが補助電源によって稼働し、隣接する基地局の基地局装置ａが主電源によって稼働する場合、基地局装置ａによってサービスが提供されないセクタに対応するアンテナは、例えばラウンドロビン方式によって順に稼働するように制御されてもよい。
【００９１】
基地局装置ｂが補助電源によって稼働し、隣接する基地局の基地局装置ｃが主電源によって稼働する場合、基地局装置ｂのアンテナ番号が２及び３である各アンテナに対応するセクタには、基地局装置ｃによってサービスが提供される。基地局装置ｂが補助電源によって稼働し、隣接する基地局の基地局装置ｃが主電源によって稼働する場合、基地局装置ｃによってサービスが提供されないセクタに対応するアンテナは、例えばラウンドロビン方式によって順に稼働するように制御されてもよい。
【００９２】
図１５に示す隣接異常時の制御テーブル４５では、隣接する基地局の基地局装置ａが補助電源によって稼働する異常時に、基地局装置ｂが主電源によって稼働する場合には、基地局装置ｂにおいてアンテナ番号が５及び６である各アンテナの電力が増大される。それによって、隣接する基地局の基地局装置ａのアンテナ番号が２及び３である各アンテナに対応するセクタが、基地局装置ｂのアンテナ番号が５及び６である各アンテナから放射される電波の到達範囲に含まれることになる。隣接異常時の制御テーブル４５では、隣接する基地局の基地局装置ａが主電源によって稼働される状態に復旧すると、基地局装置ｂのアンテナ番号が５及び６である各アンテナの電力が通常の電力に復帰する。
【００９３】
隣接する基地局の基地局装置ｃが補助電源によって稼働する異常時に、基地局装置ｂが主電源によって稼働する場合には、基地局装置ｂにおいてアンテナ番号が２及び３である各アンテナの電力が増大される。それによって、隣接する基地局の基地局装置ｃのアンテナ番号が５及び６である各アンテナに対応するセクタが、基地局装置ｂのアンテナ番号が２及び３である各アンテナから放射される電波の到達範囲に含まれることになる。隣接異常時の制御テーブル４５では、隣接する基地局の基地局装置ｃが主電源によって稼働される状態に復旧すると、基地局装置ｂのアンテナ番号が２及び３である各アンテナの電力が通常の電力に復帰する。
【００９４】
図１６に示す隣接接続時の制御テーブル４４では、オフセット時間が０分である場合、基地局装置ｃのアンテナ番号が２，３，４，５及び６である各アンテナはオフに制御される。そして、基地局装置ｃのアンテナ番号が１であるアンテナのみ電力が復旧される。オフセット時間が１０分である場合、基地局装置ｃにおいて、アンテナ番号が２であるアンテナのみ電力が復旧され、それ以外のアンテナはオフに制御される。
【００９５】
オフセット時間が２０分である場合、基地局装置ｃにおいて、アンテナ番号が３であるアンテナのみ電力が復旧され、それ以外のアンテナはオフに制御される。オフセット時間が３０分である場合、基地局装置ｃにおいて、アンテナ番号が４であるアンテナのみ電力が復旧され、それ以外のアンテナはオフに制御される。
【００９６】
基地局装置ｃが補助電源によって稼働し、隣接する基地局の基地局装置ｂが主電源によって稼働する場合、基地局装置ｃのアンテナ番号が５及び６である各アンテナに対応するセクタには、基地局装置ｂによってサービスが提供される。基地局装置ｃが補助電源によって稼働し、隣接する基地局の基地局装置ｂが主電源によって稼働する場合、基地局装置ｂによってサービスが提供されないセクタに対応するアンテナは、例えばラウンドロビン方式によって順に稼働されてもよい。
【００９７】
図１６に示す隣接異常時の制御テーブル４５では、隣接する基地局の基地局装置ｂが補助電源によって稼働する異常時に、基地局装置ｃが主電源によって稼働する場合には、基地局装置ｃにおいてアンテナ番号が５及び６である各アンテナの電力が増大される。それによって、隣接する基地局の基地局装置ｂのアンテナ番号が２及び３である各アンテナに対応するセクタが、基地局装置ｃのアンテナ番号が５及び６である各アンテナから放射される電波の到達範囲に含まれることになる。
【００９８】
隣接異常時の制御テーブル４５では、隣接する基地局の基地局装置ｂが主電源によって稼働される状態に復旧すると、基地局装置ｃのアンテナ番号が５及び６である各アンテナの電力が通常の電力に復帰する。基地局装置ａ及び基地局装置ｃが、主電源から電力の供給を受け、基地局装置ｂが、補助電源から電力の供給を受けるモードへ移行する場合の様子を図１７に示す。
【００９９】
・アンテナの稼働状態の変遷の別の例
図１７は、実施の形態にかかるアンテナの稼働状態の別の例を示す図である。図１７において、各セル５１，５２，５３の各セクタ内の数字は、稼働しているアンテナの番号を表す。また、実線で示されるセクタは、対応するアンテナが稼働しており、サービスの提供が可能なセクタである。破線で示される領域は、対応するアンテナが稼働していないため、サービスの提供ができない領域である。
【０１００】
図１７に示すように、基準となる時刻からのオフセット時間が０〜１０分及び２０〜３０分では、基地局装置ｂのセル５２において、基地局装置ｂは、アンテナ番号１のアンテナに対応するセクタでサービスを提供することができる。基地局装置ａのセル５１において、アンテナ番号２及び３の各アンテナに対応するセクタが拡張されている。
【０１０１】
そして、基地局装置ｂのセル５２のアンテナ番号６のアンテナに対応するセクタは、基地局装置ａのセル５１のアンテナ番号２のアンテナに対応するセクタに含まれている。基地局装置ｂのセル５２のアンテナ番号５のアンテナに対応するセクタは、基地局装置ａのセル５１のアンテナ番号３のアンテナに対応するセクタに含まれている。従って、基地局装置ｂのセル５２において、アンテナ番号５及び６の各アンテナに対応するセクタには、基地局装置ａによってサービスが提供される。
【０１０２】
また、基地局装置ｃのセル５３において、アンテナ番号５及び６の各アンテナに対応するセクタが拡張されている。そして、基地局装置ｂのセル５２のアンテナ番号２のアンテナに対応するセクタは、基地局装置ｃのセル５３のアンテナ番号６のアンテナに対応するセクタに含まれている。基地局装置ｂのセル５２のアンテナ番号３のアンテナに対応するセクタは、基地局装置ｃのセル５３のアンテナ番号５のアンテナに対応するセクタに含まれている。従って、基地局装置ｂのセル５２において、アンテナ番号２及び３の各アンテナに対応するセクタには、基地局装置ｃによってサービスが提供される。
【０１０３】
一方、基準となる時刻からのオフセット時間が１０〜２０分及び３０〜４０分では、基地局装置ｂのセル５２において、基地局装置ｂは、アンテナ番号４のアンテナに対応するセクタでサービスを提供することができる。基地局装置ｂのセル５２において、アンテナ番号５及び６の各アンテナに対応するセクタについては、基地局装置ａのセル５１のアンテナ番号３及び２の各アンテナに対応するセクタが拡張されることによって、基地局装置ａによってサービスが提供される。
【０１０４】
基地局装置ｂのセル５２において、アンテナ番号２及び３の各アンテナに対応するセクタについては、基地局装置ｃのセル５３のアンテナ番号６及び５の各アンテナに対応するセクタが拡張されることによって、基地局装置ｃによってサービスが提供される。本実施例では、基準となる時刻から４０分が経過すると、オフセット時間が０〜１０分であるときの状態に戻る。
【０１０５】
・図１４〜図１７に示す例における動作シーケンスの一例
図１８は、図１４〜図１７に示す例における各基地局装置の動作シーケンスの一例を示す図である。図１８に示すように、基地局装置ａ、基地局装置ｂ及び基地局装置ｃは、主電源から電力が供給されている通常動作で稼働しているとする（ステップＳ３１、ステップＳ４１、ステップＳ５１）。
【０１０６】
この状態で、基地局装置ｂへの主電源からの電力の供給が停止すると（ステップＳ４２）、基地局装置ｂは、補助電源から供給される電力によって動作するモードとなる（ステップＳ４３）。そして、基地局装置ｂは、例えば基地局ネットワーク網を利用して隣接する基地局の基地局装置ａ及び基地局装置ｃへ、補助電源から供給される電力によって動作するモードへ遷移することを通知する（ステップＳ４４）。なお、基地局ネットワーク網を利用する代わりに、後述するモード切り替えの検知方法によって基地局装置ａ及び基地局装置ｃが、基地局装置ｂが補助電源から供給される電力によって動作するモードへ遷移することを検知してもよい。
【０１０７】
基地局装置ｂは、図１５に示す制御テーブル４０の隣接接続時の制御テーブル４４に従ってアンテナ切り替えの制御を行う。それによって、基地局装置ｂにおいて、補助電源からアンテナ番号１及び４の各アンテナに交互に電力が供給され、アンテナ番号１及び４の各アンテナが交互に有効になる（ステップＳ４５）。
【０１０８】
一方、基地局装置ａは、基地局装置ｂが補助電源から供給される電力によって動作するモードへ遷移するという通知を受け取ると、図１４に示す制御テーブル４０の隣接異常時の制御テーブル４５に従ってアンテナ切り替えの制御を行う。それによって、基地局装置ａにおいてアンテナ番号が２及び３である各アンテナの電力が増大される（ステップＳ３２）。ステップＳ３２は、ステップＳ４５と同時に起こる。
【０１０９】
また、基地局装置ｃは、基地局装置ｂが補助電源から供給される電力によって動作するモードへ遷移するという通知を受け取ると、図１６に示す制御テーブル４０の隣接異常時の制御テーブル４５に従ってアンテナ切り替えの制御を行う。それによって、基地局装置ｃにおいてアンテナ番号が５及び６である各アンテナの電力が増大される（ステップＳ５２）。ステップＳ５２は、ステップＳ４５と同時に起こる。
【０１１０】
この状態で、基地局装置ｂへの主電源からの電力の供給が復旧すると、基地局装置ｂは、主電源から供給される電力によって動作するモードに復帰する（ステップＳ４６）。そして、基地局装置ｂは、例えば基地局ネットワーク網を利用して隣接する基地局の基地局装置ａ及び基地局装置ｃへ、主電源から供給される電力によって動作するモードへ遷移することを通知する（ステップＳ４７）。なお、基地局ネットワーク網を利用する代わりに、後述するモード切り替えの検知方法によって基地局装置ａ及び基地局装置ｃが、基地局装置ｂが主電源から供給される電力によって動作するモードへ遷移することを検知してもよい。
【０１１１】
基地局装置ｂにおいて、アンテナ番号１，２，３，４，５及び６の各アンテナには主電源から電力が供給される。それによって、基地局装置ｂにおいてアンテナ番号１，２，３，４，５及び６の各アンテナは通常動作での稼働へ遷移する（ステップＳ４８）。従って、これ以降、基地局装置ｂは、主電源から電力が供給される通常動作で稼働する（ステップＳ４９）。
【０１１２】
一方、基地局装置ａにおいては、基地局装置ｂが主電源から供給される電力によって動作するモードへ遷移するという通知を受け取ると、アンテナ番号２及び３の各アンテナに供給される電力が通常の電力に戻される。それによって、基地局装置ａにおいてアンテナ番号２及び３の各アンテナが通常動作での稼働へ遷移する（ステップＳ３３）。ステップＳ３３は、ステップＳ４８と同時に起こる。これ以降、基地局装置ａは、主電源から電力が供給される通常動作で稼働する（ステップＳ３４）。
【０１１３】
また、基地局装置ｃにおいては、基地局装置ｂが主電源から供給される電力によって動作するモードへ遷移するという通知を受け取ると、アンテナ番号５及び６の各アンテナに供給される電力が通常の電力に戻される。それによって、基地局装置ｃにおいてアンテナ番号５及び６の各アンテナが通常動作での稼働へ遷移する（ステップＳ５３）。ステップＳ５３は、ステップＳ４８と同時に起こる。これ以降、基地局装置ｃは、主電源から電力が供給される通常動作で稼働する（ステップＳ５４）。
【０１１４】
・制御テーブルの別の例
図１９は、実施の形態にかかる制御テーブルの別の例を示す図である。図１９に示す制御テーブル４０は、基地局装置ａにとっては自局制御情報であり、基地局装置ａに隣接する基地局の基地局装置ｂにとっては隣接局制御情報である。基地局装置ｂまたは基地局装置ｃにとって自局制御情報となる制御テーブルについては、省略する。
【０１１５】
図１９に示すように、制御テーブル４０では、基準となる時刻が絶対的な時刻、例えば０時、１時、２時、・・・、２３時になっており、日中制御テーブルセット４６及び夜間制御テーブルセット４７が含まれている。日中制御テーブルセット４６は、通信トラヒックが多い昼間の時間帯用の制御テーブルである。夜間制御テーブルセット４７は、通信トラヒックが少ない夜間の時間帯用の制御テーブルである。
【０１１６】
夜間制御テーブルセット４７では、日中制御テーブルセット４６よりも、同時に稼働するアンテナの数が少なくなっている。それによって、通信トラヒックが多い昼間にはアンテナの稼働数を増やしてサービスの提供範囲を広げ、通信トラヒックが少ない夜間にはアンテナの稼働数を減らして消費電力を抑えることができる。
【０１１７】
また、日中制御テーブルセット４６では、夜間制御テーブルセット４７よりも、稼働するアンテナを切り替える間隔が短くなっていてもよい。それによって、通信トラヒックが多い昼間には例えばラウンドロビン方式によって多くのユーザーを収容することができる。
【０１１８】
図１９に示す例では、日中制御テーブルセット４６は、例えば６時０分〜２３時５９分までの制御に用いられる。日中制御テーブルセット４６では、例えば１０分ごとに例えば２つずつ順にアンテナが稼働される。夜間制御テーブルセット４７は、例えば０時０分〜５時５９分までの制御に用いられる。夜間制御テーブルセット４７では、例えば２０分ごとに例えば１つずつ順にアンテナが稼働される。
【０１１９】
また、夜間制御テーブルセット４７には、アンテナ番号１〜３のアンテナを稼働するセットとアンテナ番号４〜６のアンテナを稼働するセットが含まれていてもよい。アンテナ番号１〜３のアンテナを稼働するセットとアンテナ番号４〜６のアンテナを稼働するセットとは、例えば１時間ごとに交互に用いられてもよい。
【０１２０】
なお、日中制御テーブルセット４６及び夜間制御テーブルセット４７において、基地局の配置設計を行う者が任意にアンテナ切り替えの間隔や同時に稼働するアンテナの数を決めることができる。また、日中制御テーブルセット４６にも、アンテナ切り替えの間隔や同時に稼働するアンテナの数が異なる複数のセットを設けてもよいし、夜間制御テーブルセット４７に３対上のセットを設けてもよい。
【０１２１】
図１９に示す例のように、基準となる時刻を０時、１時、２時、・・・、２３時のような絶対的な時刻にすることによって、基地局の配置設計を行う者が、時刻によって稼働するアンテナを予め設定することができる。それによって、各セクタに在圏するユーザーに、サービスの提供が可能となるタイミングを告知することができるので、無駄な発信を抑制することができる。
【０１２２】
・モード切り替えの検知方法の一例
図２０は、実施の形態にかかる無線通信システムにおけるモード切り替えの検知方法の一例を示す図である。図２０に示すように、各基地局装置７１，７２，７３は、自局の動作モードを管理する管理端末７４，７５，７６を有している。各基地局装置７１，７２，７３のアンテナが張り出しアンテナである場合、管理端末７４，７５，７６は張り出しアンテナの部分に配置される。
【０１２３】
管理端末ａ７４は、基地局装置ａ７１が主電源２５から供給される電力によって動作するときに、例えば主電源２５から電力の供給を受けて基地局装置ａ７１に接続する。管理端末ａ７４は、基地局装置ａ７１が自装置の補助電源３３から供給される電力によって動作するときに、自端末のバッテリーから供給される電力で動作して、隣接する基地局の基地局装置ｂ７２に接続する。
【０１２４】
管理端末ｂ７５は、基地局装置ｂ７２が主電源２５から供給される電力によって動作するときに、例えば主電源２５から電力の供給を受けて基地局装置ｂ７２に接続する。管理端末ｂ７５は、基地局装置ｂ７２が自装置の補助電源３３から供給される電力によって動作するときに、自端末のバッテリーから供給される電力で動作して、隣接する基地局の基地局装置ａ７１または基地局装置ｃ７３に接続する。
【０１２５】
管理端末ｃ７６は、基地局装置ｃ７３が主電源２５から供給される電力によって動作するときに、例えば主電源２５から電力の供給を受けて基地局装置ｃ７３に接続する。管理端末ｃ７６は、基地局装置ｃ７３が自装置の補助電源３３から供給される電力によって動作するときに、自端末のバッテリーから供給される電力で動作して、隣接する基地局の基地局装置ｂ７２に接続する。
【０１２６】
基地局装置ａ７１は、管理端末ｂ７５の識別子の位置登録を行うと、主電源２５から基地局装置ｂ７２への電力供給が停止していると判断することができる。基地局装置ｂ７２は、管理端末ａ７４の識別子の位置登録を行うと、主電源２５から基地局装置ａ７１への電力供給が停止していると判断することができる。基地局装置ｂ７２は、管理端末ｃ７６の識別子の位置登録を行うと、主電源２５から基地局装置ｃ７３への電力供給が停止していると判断することができる。基地局装置ｃ７３は、管理端末ｂ７５の識別子の位置登録を行うと、主電源２５から基地局装置ｂ７２への電力供給が停止していると判断することができる。
【０１２７】
・図１４〜図１７及び図２０に示す例における動作シーケンスの一例
図２１は、図１４〜図１７及び図２０に示す例における各基地局装置の動作シーケンスの一例を示す図である。図２２は、図２１の続きを示す図である。図２１に示すように、基地局装置ａ７１、基地局装置ｂ７２及び基地局装置ｃ７３は、主電源から電力が供給されている通常動作で稼働しているとする（ステップＳ６１、ステップＳ７１、ステップＳ９１）。
【０１２８】
この状態では、管理端末ａ７４は基地局装置ａ７１に接続し（ステップＳ６２）、管理端末ｂ７５は基地局装置ｂ７２に接続し（ステップＳ７２）、管理端末ｃ７６は基地局装置ｃ７３に接続している（ステップＳ９２）。また、基地局装置ａ７１は、一定周期で、指向性を利用してアンテナ番号が２及び３である各アンテナから放射される電波を強くすることによって近隣の基地局を監視する（ステップＳ６３）。
【０１２９】
同様に、基地局装置ｂ７２は、一定周期で、指向性を利用してアンテナ番号が２，３，５及び６である各アンテナから放射される電波を強くすることによって近隣の基地局を監視する（ステップＳ７３）。基地局装置ｃ７３についても同様であり、一定周期で、指向性を利用してアンテナ番号が５及び６である各アンテナから放射される電波を強くすることによって近隣の基地局を監視する（ステップＳ９３）。
【０１３０】
この状態で、基地局装置ｂ７２への主電源からの電力の供給が停止すると（ステップＳ７４）、基地局装置ｂ７２は、補助電源から供給される電力によって動作するモードとなる（ステップＳ７５）。それによって、管理端末ｂ７５は、基地局装置ｂ７２との接続を切断し、他の接続可能な基地局の候補を待つ状態となる（ステップＳ７６）。
【０１３１】
基地局装置ａ７１及び基地局装置ｃ７３は、それぞれ一定周期で近隣の基地局を監視しているが、管理端末ｂ７５が接続可能な基地局の候補を待つ状態となってから、例えば基地局装置ｃ７３の監視のタイミングが先に訪れるとする（ステップＳ９４）。それによって、管理端末ｂ７５は、基地局装置ｃ７３に接続され（ステップＳ７７）、基地局装置ｃ７３へ自端末の識別子を通知する（ステップＳ７８）。
【０１３２】
基地局装置ｃ７３は、管理端末ｂ７５から通知によって管理端末ｂ７５の識別子を検知する（ステップＳ９５）。そして、基地局装置ｃ７３は、管理端末ｂ７５の識別子の位置登録を行い、主電源２５から基地局装置ｂ７２への電力供給が停止していると判断する。基地局装置ｃ７３は、図１６に示す制御テーブル４０の隣接異常時の制御テーブル４５に従ってアンテナ切り替えの制御を行う。それによって、基地局装置ｃ７３においてアンテナ番号が５及び６である各アンテナの電力が増大され、基地局装置ｂ７２のアンテナ番号が２及び３である各アンテナに対応するセクタを含むように、電波の到達範囲が拡大化される（ステップＳ９６）。
【０１３３】
また、基地局装置ｃ７３は、基地局ネットワーク網を利用して例えば上位装置へ管理端末ｂ７５の識別子を通知する（ステップＳ９７）。上位装置は、基地局ネットワーク網を利用して基地局装置ａ７１へ管理端末ｂ７５の識別子を通知する（ステップＳ１１１）。図２１では、基地局装置ｃ７３から基地局装置ａ７１へ管理端末ｂ７５の識別子を通知する一連の動作を、上位ネットワーク連携としている。
【０１３４】
基地局装置ａ７１は、上位ネットワーク連携によって端末の識別子の通知を受け取ると、その端末の識別子が、隣接する基地局の基地局装置ｂ７２を管理する管理端末ｂ７５の識別子であることを検知する（ステップＳ６４）。基地局装置ａ７１は、図１４に示す制御テーブル４０の隣接異常時の制御テーブル４５に従ってアンテナ切り替えの制御を行う。それによって、基地局装置ａ７１においてアンテナ番号が２及び３である各アンテナの電力が増大され、基地局装置ｂ７２のアンテナ番号が５及び６である各アンテナに対応するセクタを含むように、電波の到達範囲が拡大化される（ステップＳ６５）。
【０１３５】
図２２に示すように、基地局装置ｂ７２への主電源からの電力の供給が復旧すると（ステップＳ７９）、基地局装置ｂ７２は、主電源から供給される電力によって動作するモードに復帰する。それによって、管理端末ｂ７５は、基地局装置ｃ７３との接続を切断し、基地局装置ｂ７２に接続する（ステップＳ８０）。これ以降、基地局装置ｂ７２は、通常動作で稼働する（ステップＳ８１）。
【０１３６】
基地局装置ｃ７３は、切断される端末の識別子が、隣接する基地局の基地局装置ｂ７２を管理する管理端末ｂ７５の識別子であることを検知する（ステップＳ９８）。基地局装置ｃ７３は、管理端末ｂ７５の接続が切断されると、主電源２５から基地局装置ｂ７２への電力供給が復旧していると判断し、アンテナ番号が５及び６である各アンテナの電力を通常の電力に戻し、電波の到達範囲を通常の範囲に戻す（ステップＳ９９）。
【０１３７】
また、基地局装置ｃ７３は、基地局ネットワーク網を利用して例えば上位装置へ管理端末ｂ７５の識別子を通知する（ステップＳ１００）。上位装置は、基地局ネットワーク網を利用して基地局装置ａ７１へ管理端末ｂ７５の識別子を通知する（ステップＳ１１２）。図２２では、基地局装置ｃ７３から基地局装置ａ７１へ管理端末ｂ７５の識別子を通知する一連の動作を、上位ネットワーク連携としている。これ以降、基地局装置ｃ７３は、通常動作で稼働する（ステップＳ１０１）。
【０１３８】
基地局装置ａ７１は、上位ネットワーク連携によって端末の識別子の通知を受け取ると、その端末の識別子が、隣接する基地局の基地局装置ｂ７２を管理する管理端末ｂ７５の識別子であることを検知する（ステップＳ６６）。基地局装置ａ７１は、主電源２５から基地局装置ｂ７２への電力供給が復旧していると判断し、アンテナ番号が２及び３である各アンテナの電力を通常の電力に戻し、電波の到達範囲を通常の範囲に戻す（ステップＳ６７）。これ以降、基地局装置ａ７１は、通常動作で稼働する（ステップＳ６８）。
【０１３９】
図３に示す無線通信システム２１及び基地局装置２４並びに無線通信方法によれば、補助電源３３から供給される電力によってアンテナ群７が動作するときに、制御テーブル４０に従って補助電源３３から電力が供給されるアンテナ８が切り替わる。それによって、全てのアンテナ８に補助電源３３から電力が供給される場合よりも少ない電力で基地局装置２４を稼働させることができる。従って、基地局装置２４が補助電源３３で動作しているときのサービス提供時間を延ばすことができる。
【０１４０】
また、図６〜図９に示す例及び図１０〜図１３に示す例によれば、隣接する基地局装置同士が、補助電源３３から供給される電力によって稼働する場合、お互いの電波が干渉するのを回避することができる。なお、図６〜図９に示す例において、補助電源３３によって稼働するアンテナを複数個ずつ切り替えるようにしてもよい。
【０１４１】
また、図１０〜図１３に示す例によれば、隣接する基地局装置同士が、補助電源３３から供給される電力によって稼働する場合、隣接する基地局装置によってサービスが提供される領域へ向けたアンテナの電力を小さくすることができる。従って、基地局装置が補助電源３３で動作しているときのサービス提供時間を延ばすことができる。
【０１４２】
また、図１４〜図１７に示す例によれば、基地局装置が補助電源３３から供給される電力によって稼働する場合、隣接する基地局装置によってサービスが提供されるセクタへ向けたアンテナに電力を稼働しなくてよい。従って、基地局装置が補助電源３３で動作しているときのサービス提供時間を延ばすことができる。
【０１４３】
上述した各実施例を含む実施の形態に関し、さらに以下の付記を開示する。
【０１４４】
（付記１）指向性の異なる複数のアンテナを含むアンテナ群と、第１電源に代わって前記アンテナ群へ電力を供給する第２電源と、前記第１電源から前記アンテナ群への電力の供給が停止してから基準となる時刻に達するときに前記第２電源から前記アンテナ群への電力の供給を開始し、前記基準となる時刻からの経過時間に基づいて、前記第２電源から電力の供給を受ける前記アンテナが切り替わるように、前記アンテナ群の動作状態を規定する制御情報と、前記第２電源によって動作するときの前記アンテナ群への電力の供給を前記制御情報に基づいて制御する制御部と、を備えることを特徴とする基地局装置。
【０１４５】
（付記２）前記制御情報には、前記アンテナ群に含まれる複数の前記アンテナを複数のグループに分け、各グループに順番に前記第２電源から電力を供給することが規定されていることを特徴とする付記１に記載の基地局装置。
【０１４６】
（付記３）前記制御情報には、前記アンテナ群に含まれる複数の前記アンテナのうち、隣接する基地局から放射される電波が到達する領域へ向けて電波を放射する前記アンテナに対して前記第２電源から供給する電力を、前記第１電源から供給する電力よりも小さくすることが規定されていることを特徴とする付記１に記載の基地局装置。
【０１４７】
（付記４）前記制御情報には、前記第１電源によって動作するときの前記アンテナ群から放射される電波が到達する領域のうち、隣接する基地局から放射される電波が到達する領域に含まれる第１の領域に関する情報が含まれており、前記第１の領域へ向けて電波を放射する前記アンテナへの電力の供給を停止し、前記第１電源によって動作するときの前記アンテナ群から放射される電波が到達する領域のうち、前記第１の領域を除く第２の領域へ向けて電波を放射する前記アンテナに前記第２電源から電力を供給することが規定されていることを特徴とする付記１に記載の基地局装置。
【０１４８】
（付記５）前記制御情報には、隣接する基地局から放射される電波が到達する領域のうち、前記隣接する基地局から電波が放射されていない第３領域を含むように、前記第３領域へ向けて電波を放射する前記アンテナに前記第１電源から電力を供給することが規定されていることを特徴とする付記４に記載の基地局装置。
【０１４９】
（付記６）指向性の異なる複数のアンテナを含む第１アンテナ群、第１電源に代わって前記第１アンテナ群へ電力を供給する第２電源、前記第１電源から前記第１アンテナ群への電力の供給が停止してから基準となる時刻に達するときに前記第２電源から前記第１アンテナ群への電力の供給を開始し、前記基準となる時刻からの経過時間に基づいて、前記第１アンテナ群に含まれる前記アンテナのうち、前記第２電源から電力の供給を受ける前記アンテナが切り替わるように、前記第１アンテナ群の動作状態を規定する第１制御情報、及び前記第２電源によって動作するときの前記第１アンテナ群への電力の供給を前記第１制御情報に基づいて制御する制御部、を有する第１基地局装置と、指向性の異なる複数のアンテナを含む第２アンテナ群、第１電源に代わって前記第２アンテナ群へ電力を供給する第３電源、前記第１電源から前記第２アンテナ群への電力の供給が停止してから基準となる時刻に達するときに前記第３電源から前記第２アンテナ群への電力の供給を開始し、前記基準となる時刻からの経過時間に基づいて、前記第２アンテナ群に含まれる前記アンテナのうち、前記第３電源から電力の供給を受ける前記アンテナが切り替わるように、前記第２アンテナ群の動作状態を規定する第２制御情報、及び前記第３電源によって動作するときの前記第２アンテナ群への電力の供給を前記第２制御情報に基づいて制御する制御部、を有する第２基地局装置と、を備えることを特徴とする無線通信システム。
【０１５０】
（付記７）前記第１制御情報には、前記第１アンテナ群に含まれる複数の前記アンテナを複数のグループに分け、各グループに順番に前記第２電源から電力を供給することが規定されており、前記第２制御情報には、前記第２アンテナ群に含まれる複数の前記アンテナを複数のグループに分け、各グループに順番に前記第３電源から電力を供給することが規定されていることを特徴とする付記６に記載の無線通信システム。
【０１５１】
（付記８）前記第１制御情報には、前記第１アンテナ群に含まれる複数の前記アンテナのうち、前記第２基地局装置を有する基地局から放射される電波が到達する領域へ向けて電波を放射する前記アンテナに対して前記第２電源から供給する電力を、前記第１電源から供給する電力よりも小さくすることが規定されており、前記第２制御情報には、前記第２アンテナ群に含まれる複数の前記アンテナのうち、前記第１基地局装置を有する基地局から放射される電波が到達する領域へ向けて電波を放射する前記アンテナに対して前記第３電源から供給する電力を、前記第１電源から供給する電力よりも小さくすることが規定されていることを特徴とする付記６に記載の無線通信システム。
【０１５２】
（付記９）前記第１制御情報には、前記第１電源によって動作するときの前記第１アンテナ群から放射される電波が到達する領域のうち、前記第２基地局装置を有する基地局から放射される電波が到達する領域に含まれる第１の領域に関する情報が含まれており、前記第１アンテナ群に含まれる複数の前記アンテナのうち、前記第１の領域へ向けて電波を放射する前記アンテナへの電力の供給を停止し、前記第１電源によって動作するときの前記第１アンテナ群から放射される電波が到達する領域のうち、前記第１の領域を除く第２の領域へ向けて電波を放射する前記アンテナに前記第２電源から電力を供給することが規定されており、前記第２制御情報には、前記第１基地局装置を有する基地局から放射される電波が到達する領域のうち、前記第１基地局装置を有する基地局から電波が放射されていない前記第１の領域を含むように、前記第２アンテナ群に含まれる複数の前記アンテナのうち、前記第１の領域へ向けて電波を放射する前記アンテナに前記第１電源から電力を供給することが規定されていることを特徴とする付記６に記載の無線通信システム。
【０１５３】
（付記１０）指向性の異なる複数のアンテナを含むアンテナ群への第１電源からの電力の供給が停止すると、予め設定されている制御情報に従って、第１電源からの電力の供給が停止してから基準となる時刻に達するときに、前記第１電源に代わって第２電源から前記アンテナ群への電力の供給を開始し、前記基準となる時刻からの経過時間に基づいて、前記第２電源から電力の供給を受ける前記アンテナを切り替えることを特徴とする無線通信方法。
【０１５４】
（付記１１）前記アンテナ群に含まれる複数の前記アンテナを複数のグループに分け、各グループに順番に前記第２電源から電力を供給することを特徴とする付記１０に記載の無線通信方法。
【０１５５】
（付記１２）前記アンテナ群に含まれる複数の前記アンテナのうち、隣接する基地局から放射される電波が到達する領域へ向けて電波を放射する前記アンテナに対して前記第２電源から供給する電力を、前記第１電源から供給する電力よりも小さくすることを特徴とする付記１０に記載の無線通信方法。
【０１５６】
（付記１３）前記制御情報には、前記第１電源によって動作するときの前記アンテナ群から放射される電波が到達する領域のうち、隣接する基地局から放射される電波が到達する領域に含まれる第１の領域に関する情報が含まれており、前記第１の領域へ向けて電波を放射する前記アンテナへの電力の供給を停止し、前記第１電源によって動作するときの前記アンテナ群から放射される電波が到達する領域のうち、前記第１の領域を除く第２の領域へ向けて電波を放射する前記アンテナに前記第２電源から電力を供給することを特徴とする付記１０に記載の無線通信方法。
【０１５７】
（付記１４）前記隣接する基地局は、前記第１の領域を含むように電波を放射することを特徴とする付記１３に記載の無線通信方法。
【符号の説明】
【０１５８】
１  無線通信システム
２  第１基地局装置
３  第２基地局装置
４  第１電源
５  制御情報
６  制御部
７  アンテナ群
８  アンテナ
９  第２電源
１０  第３電源
【図１】
2014022900.tif 000003
【図２】
2014022900.tif 000004
【図３】
2014022900.tif 000005
【図４】
2014022900.tif 000006
【図５】
2014022900.tif 000007
【図６】
2014022900.tif 000008
【図７】
2014022900.tif 000009
【図８】
2014022900.tif 000010
【図９】
2014022900.tif 000011
【図１０】
2014022900.tif 000012
【図１１】
2014022900.tif 000013
【図１２】
2014022900.tif 000014
【図１３】
2014022900.tif 000015
【図１４】
2014022900.tif 000016
【図１５】
2014022900.tif 000017
【図１６】
2014022900.tif 000018
【図１７】
2014022900.tif 000019
【図１８】
2014022900.tif 000020
【図１９】
2014022900.tif 000021
【図２０】
2014022900.tif 000022
【図２１】
2014022900.tif 000023
【図２２】
2014022900.tif 000024